(57)【要約】【課題】写真の撮影箇所を施工確認場所ごとに登録しておくことができる施工管理システムを提供することを課題とする。【解決手段】施工管理システムであって、端末装置は施工確認場所の情報の登録をユーザから受け付け、サーバ装置に登録する手段と、施工確認場所を指定した写真の撮影箇所の登録をユーザから受け付け、写真の撮影箇所を編集する手段とを有し、サーバ装置は施工確認場所の情報を携帯端末に提供する手段と、携帯端末で撮影された写真に関する情報を施工確認場所の情報と対応付けて保存する手段とを有し、携帯端末はサーバ装置からの施工確認場所の情報に基づき、施工現場の図面上に施工確認場所を表すアイコンとユーザにより選択された施工確認場所の写真の撮影箇所とを表示する表示処理手段と、施工現場における施工確認場所において撮影された結果に基づき、写真に関する情報の更新をサーバ装置に要求する手段とを有することで課題を解決する。【選択図】図１
2018045356.tif 000002
【特許請求の範囲】
【請求項１】
撮影機能を有する１台以上の携帯端末と、ユーザの操作により前記携帯端末が行う撮影の進捗を管理するサーバ装置と、前記サーバ装置に情報の登録を行う端末装置とがネットワークを介して通信を行う施工管理システムであって、
前記端末装置は、
施工現場の図面上の位置で表した前記施工現場における施工確認場所の情報の登録をユーザから受け付け、前記施工確認場所の情報を前記サーバ装置に登録する登録受付手段と、
前記施工確認場所を指定した写真の撮影箇所の登録をユーザから受け付け、前記サーバ装置に登録された前記施工確認場所の情報に含まれる前記写真の撮影箇所を編集する編集受付手段と、
を有し、
前記サーバ装置は、
前記施工現場における施工確認場所の情報を前記携帯端末に提供する提供手段と、
前記携帯端末において撮影された写真に関する情報を前記施工現場における施工確認場所の情報と対応付けて保存する保存手段と、
を有し、
前記携帯端末は、
前記サーバ装置から提供された前記施工現場における施工確認場所の情報に基づき、前記施工現場の図面上に前記施工現場における施工確認場所を表すアイコンと、ユーザにより選択された前記アイコンが表す前記施工確認場所の前記写真の撮影箇所とを表示する表示処理手段と、
前記施工現場における施工確認場所において撮影された結果に基づき、前記写真に関する情報の更新を前記サーバ装置に要求する更新処理手段と、
を有すること、を特徴とする施工管理システム。
【請求項２】
前記編集受付手段は、ユーザによる片面又は両面の指定により前記施工確認場所における写真の撮影箇所の登録を受け付け、
前記表示処理手段は、前記アイコンが表す前記施工確認場所の前記写真の撮影箇所を前記片面又は両面により表示すること、
を特徴とする請求項１記載の施工管理システム。
【請求項３】
前記表示処理手段は、ユーザにより選択された前記アイコンが表す前記施工確認場所の前記写真の撮影箇所を前記片面又は両面により表示する画面に、ユーザから前記撮影機能への撮影指示を受け付ける手段と、前記施工確認場所での撮影完了指示をユーザから受け付ける手段と、を表示すること、
を特徴とする請求項２記載の施工管理システム。
【請求項４】
前記表示処理手段は、前記施工確認場所が未撮影である状態、ユーザから前記施工確認場所での撮影完了指示を受け付けた状態、前記施工確認場所での撮影が行われてから撮影完了指示を受け付けるまでの状態を、前記アイコンの色により区別して表すこと、
を特徴とする請求項３記載の施工管理システム。
【請求項５】
前記編集受付手段は、前記施工確認場所と対応付けて前記サーバ装置に保存させるコメントの登録をユーザから受け付け、
前記表示処理手段は、ユーザにより選択された前記アイコンが表す前記施工確認場所の前記写真の撮影箇所を前記片面又は両面により表示する画面に、前記施工確認場所と対応付けて前記サーバ装置に保存させた前記コメントを表示すること、
を特徴とする請求項３又は４記載の施工管理システム。
【請求項６】
撮影機能を有する１台以上の携帯端末と、ユーザの操作により前記携帯端末が行う撮影の進捗を管理するサーバ装置と、前記サーバ装置に情報の登録を行う端末装置とがネットワークを介して通信を行う施工管理システムの施工管理方法であって、
前記端末装置が、施工現場の図面上の位置で表した前記施工現場における施工確認場所の情報の登録をユーザから受け付け、前記施工確認場所の情報を前記サーバ装置に登録する登録受付手順と、
前記端末装置が、前記施工確認場所を指定した写真の撮影箇所の登録をユーザから受け付け、前記サーバ装置に登録された前記施工確認場所の情報に含まれる前記写真の撮影箇所を編集する編集受付手順と、
前記サーバ装置が、前記施工現場における施工確認場所の情報を前記携帯端末に提供する提供手順と、
前記携帯端末が、前記サーバ装置から提供された前記施工現場における施工確認場所の情報に基づき、前記施工現場の図面上に前記施工現場における施工確認場所を表すアイコンと、ユーザにより選択された前記アイコンが表す前記施工確認場所の前記写真の撮影箇所とを表示する表示処理手順と、
前記携帯端末が、前記施工現場における施工確認場所において撮影された結果に基づき、前記写真に関する情報の更新を前記サーバ装置に要求する更新処理手順と、
前記サーバ装置が、前記携帯端末において撮影された写真に関する情報を前記施工現場における施工確認場所の情報と対応付けて保存する保存手順と、
を行う施工管理方法。
【請求項７】
サーバ装置及び端末装置とネットワークを介して通信を行う撮影機能を有する携帯端末であって、
ユーザの操作により前記携帯端末が行う撮影の進捗を管理する前記サーバ装置から提供された施工現場における施工確認場所の情報に基づき、前記施工現場の図面上に前記施工現場における施工確認場所を表すアイコンと、ユーザにより選択された前記アイコンが表す前記施工確認場所の写真の撮影箇所とを表示する表示処理手段と、
前記施工現場における施工確認場所において撮影された結果に基づき、前記写真に関する情報の更新を前記サーバ装置に要求する更新処理手段と、
を有する携帯端末。
【請求項８】
サーバ装置及び端末装置とネットワークを介して通信を行う撮影機能を有する携帯端末を、
ユーザの操作により前記携帯端末が行う撮影の進捗を管理する前記サーバ装置から提供された施工現場における施工確認場所の情報に基づき、前記施工現場の図面上に前記施工現場における施工確認場所を表すアイコンと、ユーザにより選択された前記アイコンが表す前記施工確認場所の写真の撮影箇所とを表示する表示処理手段、
前記施工現場における施工確認場所において撮影された結果に基づき、前記写真に関する情報の更新を前記サーバ装置に要求する更新処理手段、
として機能させるためのプログラム。
【発明の詳細な説明】
【技術分野】
【０００１】
本発明は施工管理システム、施工管理方法、携帯端末及びプログラムに関する。
【背景技術】
【０００２】
施工の現場において行われる現場業務には、現場における写真撮影が含まれる。施工管理を行うユーザは現場において撮影した写真を例えば事務所で整理し、施工管理を行っていた。
【０００３】
従来、ＣＡＤ装置及び携帯端末装置等を用いて空調設備や衛生設備等の配管、建築設備等の施工状態を管理する施工管理システムがあった。従来の施工管理システムでは、施工状態の確認および記録のために撮影された写真を施工記録の一部としてファイルし、施工履歴として保管していた（例えば特許文献１参照）。
【０００４】
また、建築工程における要検査項目について、該当する対象を撮影した写真を含む情報を記録した施工状況報告データベースを参照し、そのデータベースから取得した情報を建設現場の情報端末に送信する住宅性能評価システムがあった（例えば特許文献２参照）。
【先行技術文献】
【特許文献】
【０００５】
【特許文献１】特許第５１３８０６８号公報
【特許文献２】特開２００２−２０３０６７号公報
【発明の概要】
【発明が解決しようとする課題】
【０００６】
従来の施工管理では、例えば図面上に記入された施工場所を確認しながらユーザが撮影を行っていた。なお、図面上に記入された施工確認場所には、一カ所の写真を撮影すればよい施工確認場所と、区画貫通処理検査を行う施工確認場所のように、複数箇所の写真（表裏の写真）を撮影しなければならない施工確認場所とが混在している場合がある。したがって、従来の施工管理では、その施工確認場所で撮影する撮影箇所をユーザが施工現場において判断しなければならず、無駄な撮影や撮影漏れが生じやすいという問題があった。
【０００７】
本発明の一実施形態は、写真の撮影箇所を施工確認場所ごとに登録しておくことができる施工管理システムを提供することを目的とする。
【課題を解決するための手段】
【０００８】
上記した目的を達成するため、本願請求項１は、撮影機能を有する１台以上の携帯端末と、ユーザの操作により前記携帯端末が行う撮影の進捗を管理するサーバ装置と、前記サーバ装置に情報の登録を行う端末装置とがネットワークを介して通信を行う施工管理システムであって、前記端末装置は、施工現場の図面上の位置で表した前記施工現場における施工確認場所の情報の登録をユーザから受け付け、前記施工確認場所の情報を前記サーバ装置に登録する登録受付手段と、前記施工確認場所を指定した写真の撮影箇所の登録をユーザから受け付け、前記サーバ装置に登録された前記施工確認場所の情報に含まれる前記写真の撮影箇所を編集する編集受付手段と、を有し、前記サーバ装置は、前記施工現場における施工確認場所の情報を前記携帯端末に提供する提供手段と、前記携帯端末において撮影された写真に関する情報を前記施工現場における施工確認場所の情報と対応付けて保存する保存手段と、を有し、前記携帯端末は、前記サーバ装置から提供された前記施工現場における施工確認場所の情報に基づき、前記施工現場の図面上に前記施工現場における施工確認場所を表すアイコンと、ユーザにより選択された前記アイコンが表す前記施工確認場所の前記写真の撮影箇所とを表示する表示処理手段と、前記施工現場における施工確認場所において撮影された結果に基づき、前記写真に関する情報の更新を前記サーバ装置に要求する更新処理手段と、を有すること、を特徴とする。
【発明の効果】
【０００９】
本発明の一実施形態によれば、施工状態の検査用に報告するにあたり、写真の撮影箇所を施工状態を確認する場所ごとに登録しておくことができる。
【図面の簡単な説明】
【００１０】
【図１】本実施形態に係る施工管理システムの一例のシステム構成図である。
【図２】本実施形態に係るコンピュータの一例のハードウェア構成図である。
【図３】本実施形態に係るタブレット端末の一例のハードウェア構成図である。
【図４】本実施形態に係る施工管理システムの一例の処理ブロック図である。
【図５】テーブル保存部に保存されている各種テーブルの一例の構成図である。
【図６】本実施形態に係る施工管理システムの処理概要を示した一例のフローチャートである。
【図７】カメラアイコン事前登録処理の一例のシーケンス図である。
【図８】カメラアイコンを登録する画面の一例のイメージ図である。
【図９】カメラアイコン情報を編集する画面の一例のイメージ図である。
【図１０】カメラアイコン情報を編集する画面の他の例のイメージ図である。
【図１１】タブレット端末にカメラアイコン情報を取り組む処理の一例のシーケンス図である。
【図１２】カメラアイコン情報を取り組む画面の一例のイメージ図である。
【図１３】カメラアイコンを表示する画面の一例のイメージ図である。
【図１４】カメラアイコン情報を確認する画面の一例のイメージ図である。
【図１５】カメラアイコン情報を確認する画面の他の例のイメージ図である。
【図１６】撮影後の画面の一例のイメージ図である。
【図１７】撮影後の画面の他の例のイメージ図である。
【図１８】カメラアイコン更新処理の一例のシーケンス図である。
【図１９】カメラアイコンの色変更処理の一例のフローチャートである。
【図２０】カメラアイコン更新処理の他の例のシーケンス図である。
【図２１】カメラ画面の一例のイメージ図である。
【発明を実施するための形態】
【００１１】
次に、本発明の実施の形態について、詳細に説明する。
［第１の実施形態］
＜システム構成＞
図１は本実施形態に係る施工管理システムの一例のシステム構成図である。図１に示すように本実施形態に係る施工管理システム１は、サーバ装置１０、１台以上のＰＣ１２及び複数台のタブレット端末１４を有する。サーバ装置１０、ＰＣ１２及びタブレット端末１４はインターネットなどのネットワーク１６により接続されている。
【００１２】
図１ではＰＣ１２が、施工管理を行うユーザの事務所にある例を表す。タブレット端末１４は、施工管理を行うユーザにより施工現場に持ち込まれる。ユーザはＰＣ１２やタブレット端末１４を操作し、必要な情報をサーバ装置１０に登録したり、サーバ装置１０から必要な情報を取得して表示させたり、することができる。
【００１３】
ＰＣ１２はユーザが事務所において操作するクライアント端末の一例である。事務所において操作するクライアント端末は、スマートフォン、タブレット端末などであってもよい。タブレット端末１４はユーザが施工現場において操作するクライアント端末の一例である。タブレット端末１４は、内蔵又は外付けを問わず、写真機能を有する。施工現場において操作するクライアント端末は、内蔵又は外付けを問わず、写真機能を有しているスマートフォン、ＰＣなどであってもよい。
【００１４】
サーバ装置１０はＰＣ１２及びタブレット端末１４から撮影の進捗管理のための情報の登録を受け付ける機能やＰＣ１２及びタブレット端末１４に撮影の進捗管理のための情報を提供する機能を有する。なお、図１のサーバ装置１０の構成は一例であって、複数のコンピュータに分散して構成するようにしてもよい。
【００１５】
図１の施工管理システム１は、ＰＣ１２とタブレット端末１４とが異なる例を示しているが、例えばＰＣ１２とタブレット端末１４とが同種のクライアント端末でも同一のクライアント端末でもよい。同一のクライアント端末の場合、ユーザは事務所で使用していたクライアント端末を施工現場に携帯して持ち込み、利用する。
【００１６】
＜ハードウェア構成＞
サーバ装置１０、ＰＣ１２は例えば図２に示すようなハードウェア構成のコンピュータにより実現される。図２は、本実施形態に係るコンピュータの一例のハードウェア構成図である。
【００１７】
図２のコンピュータ５００は入力装置５０１、表示装置５０２、外部Ｉ／Ｆ５０３、ＲＡＭ５０４、ＲＯＭ５０５、ＣＰＵ５０６、通信Ｉ／Ｆ５０７及びＨＤＤ５０８などを備え、それぞれがバスＢで相互に接続されている。なお、入力装置５０１及び表示装置５０２は必要なときに接続して利用する形態であってもよい。
【００１８】
入力装置５０１はキーボードやマウス、タッチパネルなどを含み、ユーザが各操作信号を入力するのに用いられる。表示装置５０２はディスプレイ等を含み、コンピュータ５００による処理結果を表示する。
【００１９】
通信Ｉ／Ｆ５０７はコンピュータ５００を各種ネットワークに接続するインタフェースである。これにより、コンピュータ５００は通信Ｉ／Ｆ５０７を介してデータ通信を行うことができる。
【００２０】
また、ＨＤＤ５０８は、プログラムやデータを格納している不揮発性の記憶装置の一例である。格納されるプログラムやデータには、コンピュータ５００全体を制御する基本ソフトウェアであるＯＳ、ＯＳ上で各種機能を提供するプログラムなどがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２１】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２２】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ、ＯＳ設定、及びネットワーク設定などのプログラムやデータが格納されている。ＲＡＭ５０４は、プログラムやデータを一時保持する揮発性の半導体メモリ（記憶装置）の一例である。
【００２３】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置である。サーバ装置１０及びＰＣ１２は、例えば図２に示すようなハードウェア構成においてＣＰＵ５０６がプログラムを実行することにより、後述するような各種処理を実現できる。
【００２４】
タブレット端末１４は例えば図３に示すハードウェア構成により実現される。図３は本実施形態に係るタブレット端末の一例のハードウェア構成図である。図３のタブレット端末１４は、ＣＰＵ６０１、ＲＯＭ６０２、ＲＡＭ６０３、ＥＥＰＲＯＭ６０４、ＣＭＯＳセンサ６０５、加速度・方位センサ６０６、メディアドライブ６０８を備えている。
【００２５】
ＣＰＵ６０１はタブレット端末１４全体の動作を制御する。ＲＯＭ６０２は基本入出力プログラムを記憶している。ＲＡＭ６０３はＣＰＵ６０１のワークエリアとして使用される。ＥＥＰＲＯＭ６０４はＣＰＵ６０１の制御にしたがってデータの読み出し又は書き込みが行われる。ＣＭＯＳセンサ６０５は、撮影機能を実現する。ＣＯＭＳセンサ６０５はＣＰＵ６０１の制御に従って撮影を行い、画像データを得る。ＣＭＯＳセンサ６０５は被写体を撮像することができるのであれば、例えばＣＣＤ（Charge  Coupled  Device）センサであってもよい。加速度・方位センサ６０６は、地磁気を検知する電子磁気コンパスやジャイロコンパス、加速度センサ等である。
【００２６】
メディアドライブ６０８は、フラッシュメモリ等の記録メディア６０７に対するデータの読み出し又は書き込み（記憶）を制御する。メディアドライブ６０８は、既に記録されていたデータが読み出され又は新たにデータが書き込まれて記憶する記録メディア６０７を着脱自在な構成となっている。なお、図３のハードウェア構成は一例であり、メディアドライブ６０８が無い構成であってもよい。
【００２７】
なお、ＥＥＰＲＯＭ６０４には、ＣＰＵ６０１が実行するＯＳ、ネットワーク設定に必要なアソシエーション情報等が記憶されている。本発明の実施形態における各種処理を実行するためのアプリケーションは、ＥＥＰＲＯＭ６０４又は記録メディア６０７などに記憶されている。
【００２８】
さらに、タブレット端末１４は、音声入力部６０９、音声出力部６１０、アンテナ６１１、通信部６１２、無線ＬＡＮ通信部６１３、近距離無線通信用アンテナ６１４、近距離無線通信部６１５、ディスプレイ６１６、タッチパネル６１７及びバスライン６１９を備える。
【００２９】
音声入力部６０９は音声を音声信号に変換する。音声出力部６１０は音声信号を音声に変換する。通信部６１２はアンテナ６１１を利用して無線通信信号により最寄りの基地局装置と通信を行う。無線ＬＡＮ通信部６１３はＩＥＥＥ８０２．１１規格等に準拠する無線ＬＡＮ通信を行う。近距離無線通信部６１５は近距離無線通信用アンテナ６１４を利用した近距離無線通信を行う。
【００３０】
ディスプレイ６１６は、被写体の画像や各種アイコン等を表示する液晶や有機ＥＬ等である。タッチパネル６１７は、ディスプレイ６１６上に載せられ、感圧式又は静電式のパネルによって構成され、指やタッチペン等によるタッチによってディスプレイ６１６上におけるタッチ位置を検出する。バスライン６１９は上記各部を電気的に接続するためのアドレスバスやデータバス等である。
【００３１】
また、タブレット端末１４は専用の電池６１８を備えている。タブレット端末１４は電池６１８によって駆動される。なお、音声入力部６０９は音声を入力するマイクが含まれる。音声出力部６１０は音声を出力するスピーカが含まれている。タブレット端末１４は例えば図４に示すハードウェア構成においてＣＰＵ６０１がアプリケーションプログラムを実行することにより後述の各種処理を実現できる。
【００３２】
＜ソフトウェア構成＞
本実施形態に係る施工管理システム１は例えば図４に示すような処理ブロックにより実現される。図４は本実施形態に係る施工管理システムの一例の処理ブロック図である。
【００３３】
サーバ装置１０はプログラムを実行することで、図面ファイル登録部３１、カメラアイコン登録部３２、カメラアイコン情報編集部３３、カメラアイコン情報提供部３４、カメラアイコン情報更新部３５、テーブル保存部３６、図面ファイル保存部３７、写真ファイル保存部３８を実現している。
【００３４】
図面ファイル登録部３１はＰＣ１２からの図面ファイル登録要求に応じて施工現場の図面を電子化した図面ファイルを図面ファイル保存部３７に保存する。カメラアイコン登録部３２は、ＰＣ１２からのカメラアイコン情報登録要求に応じて、電子化された施工現場の図面上の位置と対応付けて、施工現場における施工確認場所を示すカメラアイコンの情報をテーブル保存部３６に保存する。
【００３５】
カメラアイコン情報編集部３３はカメラアイコンと対応付けられてテーブル保存部３６に保存されている情報（色情報、カメラアイコン設置順番、電子黒板撮影時のコメントなど）を、ＰＣ１２からのカメラアイコン情報編集要求に応じて編集する。カメラアイコン情報提供部３４はタブレット端末１４からのカメラアイコン情報要求に応じて、カメラアイコンの情報をタブレット端末１４に提供する。カメラアイコンの情報がサーバ装置１０側に格納されているので、サーバ装置１０は複数台のタブレット端末１４による撮影状況を複数のタブレット端末１４に配信し、カメラアイコンの情報を複数のタブレット端末１４の間で直ちに共有させることができる。
【００３６】
カメラアイコン情報更新部３５はタブレット端末１４からのカメラアイコン情報更新要求に応じて、テーブル保存部３６に保存されたカメラアイコンの情報を更新する。カメラアイコン情報更新部３５は更新したカメラアイコンの情報を、カメラアイコン情報更新要求を行ったタブレット端末１４以外の他のタブレット端末１４に同時に配信する。テーブル保存部３６は後述の図面テーブル、メモテーブル、オブジェクトテーブル及び写真情報テーブルを保存している。
【００３７】
図面ファイル保存部３７は電子化された施工現場の図面ファイルを保存している。写真ファイル保存部３８はタブレット端末１４において撮影された写真のデータ（写真ファイル）を保存している。
【００３８】
また、ＰＣ１２はＷＥＢアプリケーションなどのプログラムを実行することで、操作判断部４１、表示処理部４２、図面ファイル登録受付部４３、カメラアイコン登録受付部４４及びカメラアイコン情報編集受付部４５を実現している。
【００３９】
操作判断部４１はユーザから受け付けた操作を判断する。表示処理部４２はＰＣ１２の表示装置５０２に後述するような画面を表示させる。図面ファイル登録受付部４３は施工現場の図面ファイルを登録する操作をユーザから受け付けると、その図面ファイルの登録要求をサーバ装置１０に対して行う。カメラアイコン登録受付部４４はカメラアイコンを施工現場の図面上に登録する操作をユーザから受け付けると、そのカメラアイコンの登録要求をサーバ装置１０に対して行う。カメラアイコン情報編集受付部４５はカメラアイコンの情報（カメラアイコン情報）を編集する操作をユーザから受け付けると、そのカメラアイコン情報の編集要求をサーバ装置１０に対して行う。
【００４０】
また、タブレット端末１４はアプリケーションなどのプログラムを実行することで、操作判断部５１、表示処理部５２、カメラアイコン情報取得部５３、撮影制御部５４、カメラアイコン更新処理部５５、図面ファイル取得部５６、写真ファイル送信部５７を実現している。
【００４１】
操作判断部５１はユーザから受け付けた操作を判断する。表示処理部５２はタブレット端末１４のディスプレイ６１６に後述するような画面を表示させる。カメラアイコン情報取得部５３はサーバ装置１０から施工現場の図面上に登録されたカメラアイコン情報を取得する。撮影制御部５４は撮影機能の制御を行う。
【００４２】
カメラアイコン更新処理部５５は、施工現場の図面上に表示されているカメラアイコンの色を後述のように変更し、カメラアイコン情報の更新要求をサーバ装置１０に対して行う。図面ファイル取得部５６はサーバ装置１０から電子化された施工現場の図面ファイルを取得する。写真ファイル送信部５７は撮影機能により撮影した写真ファイルをサーバ装置１０に送信する。
【００４３】
テーブル保存部３６には例えば図５に示す図面テーブル６１、メモテーブル６２、オブジェクトテーブル６３及び写真情報テーブル６４が保存される。図５はテーブル保存部に保存されている各種テーブルの一例の構成図である。
【００４４】
図５の図面テーブル６１は図面ＩＤ、登録時刻、更新時刻、現場ＩＤ、ファイル保存パス及び図面名を項目として有する。図面テーブル６１は施工現場を特定する現場ＩＤと対応付けられている。図面ＩＤは図面を特定する情報の一例である。登録時刻は図面ファイルを登録した時刻を表す。更新時刻は図面ファイルを更新した時刻を表す。ファイル保存パスは図面ファイルの保存先を示している。図面名は図面の名前である。
【００４５】
図５のメモテーブル６２はメモＩＤ、登録時刻、更新時刻、図面ＩＤ、メモ名、登録者及び更新ユーザを項目として有する。メモテーブル６２は図面ＩＤにより図面テーブル６１と対応付けられている。メモＩＤはメモを特定する情報の一例である。登録時刻はメモを登録した時刻を表す。更新時刻はメモを更新した時刻を表す。メモ名はメモの名前である。登録者はメモを登録した登録者を表す。更新ユーザはメモを更新したユーザを表している。
【００４６】
また、図５のオブジェクトテーブル６３はオブジェクトＩＤ、メモＩＤ、Ｘ座標、Ｙ座標、色、登録ユーザ、更新ユーザ、登録時刻、更新時刻、撮影箇所（片面／両面）、連番、完了ステータスを項目として有する。オブジェクトテーブル６３はメモＩＤによりメモテーブル６２と対応付けられている。
【００４７】
オブジェクトＩＤはカメラアイコンを特定する情報の一例である。Ｘ座標及びＹ座標はカメラアイコンが登録されている図面上の位置を表す。色は施工現場の図面上に表示されるカメラアイコンの色を表す。登録ユーザはカメラアイコンを登録したユーザを表す。更新ユーザはカメラアイコンを更新したユーザを表す。
【００４８】
登録時刻はカメラアイコンを登録した時刻を表す。更新時刻はカメラアイコン情報を更新した時刻を表す。撮影箇所（片面／両面）は、そのカメラアイコンが示す位置（施工確認場所）で撮影する写真の撮影箇所の数を示す。例えば区画貫通処理の施工状態を撮影する場合は、区画貫通処理が行われる壁で区切られる複数の部屋の両方（両面）で撮影を行う。撮影箇所（片面／両面）の領域は、片面または両面のいずれかの状態を示す情報が格納され、その状態情報により、片面ボタンまたは両面ボタンのハイライト表示が変更される。区画貫通処理が行われる壁で区切られる複数の部屋の両方（両面）で撮影を行う場合は、一方の部屋からの撮影を表側の撮影とすると、他方の部屋からの撮影が裏側の撮影となり、撮影箇所が２箇所となる。例えば区画貫通処理が行われ、施工状態の検査のための報告が行われる施工確認場所の撮影箇所では、区画貫通処理部の拡大、電子黒板付きなど、他数回の撮影が行われる。
【００４９】
連番は、同一の図面上に登録されているカメラアイコンに連続的に振られている番号である。完了ステータスは、カメラアイコンが示す位置での撮影の完了／未完了を表す。完了ステータスの領域は、完了または未完了のいずれかの状態を示す情報が格納され、その状態情報により、完了ボタンの表示が完了または未完了に変更される。
【００５０】
また、図５の写真情報テーブル６４はペアレントＩＤ、登録ユーザ、更新ユーザ、撮影日付、登録時刻、更新時刻、写真数、写真ファイル格納パス、コメントを項目として有する。写真情報テーブル６４は、ペアレントＩＤに設定されるオブジェクトＩＤによりオブジェクトテーブル６３と対応付けられている。
【００５１】
登録ユーザは写真を登録したユーザを表す。更新ユーザは写真やコメントを更新したユーザを表す。撮影日付は写真を撮影した日付を表す。登録時刻は写真を登録した時刻を表す。更新時刻は写真やコメントを更新した時刻を表す。写真数は、そのカメラアイコンが示す位置（施工確認場所）で撮影した写真の枚数である。写真ファイル格納パスは写真ファイルの保存先を示している。コメントは、ＰＣ１２やタブレット端末１４からユーザにより入力されたコメントを表す。コメントには、施工確認場所の説明など、写真と対応付けて管理する必要のある情報を後述のカメラアイコン事前登録処理により予め入力しておくことができる。
【００５２】
図５に示すように、各図面には、１つ以上のメモを対応付けることができ、各メモに１つ以上のカメラアイコンを対応付けることができ、各カメラアイコンに写真ファイル及びコメントを対応付けることができる。
【００５３】
＜処理の詳細＞
以下では、本実施形態に係る施工管理システム１の処理の詳細について説明する。
【００５４】
《施工管理システムの処理概要》
本実施形態に係る施工管理システム１は例えば図６に示すような手順により施工現場における撮影の進捗管理を支援する。図６は本実施形態に係る施工管理システムの処理概要を示した一例のフローチャートである。
【００５５】
ステップＳ１１において、施工管理を行うユーザは施工現場の図面ファイルを登録する操作をＰＣ１２に対して行う。ＰＣ１２は施工現場の図面ファイルをサーバ装置１０に登録する。
【００５６】
ステップＳ１２に進み、ユーザは、カメラアイコンを登録する画面を表示させるための操作をＰＣ１２に対して行う。ＰＣ１２は、サーバ装置１０に登録済みの施工現場の図面ファイルを表示する。ユーザは、ＰＣ１２に表示された施工現場の図面上に、施工現場における施工確認場所を示すカメラアイコンを登録する操作を行う。ＰＣ１２は施工現場の図面上に対応付けられたカメラアイコンをサーバ装置１０に登録する。
【００５７】
ステップＳ１３に進み、ユーザは電子化された施工現場の図面ファイルを取り込む操作をタブレット端末１４に対して行う。タブレット端末１４はサーバ装置１０から電子化された施工現場の図面ファイルを取り込む。タブレット端末１４は取り込んだ施工現場の図面ファイルを表示する。また、タブレット端末１４は取り込んだ施工現場の図面と対応付けられてサーバ装置１０に保存されているメモの情報を取り込む。タブレット端末１４は取り込んだメモのリストを表示する。
【００５８】
ステップＳ１４に進み、ユーザは表示されている施工現場の図面と対応付けられているメモのリストからメモを指定して、その図面上に登録されているカメラアイコンを表示させるための操作をタブレット端末１４に対して行う。タブレット端末１４は指定されたメモと対応付けられているカメラアイコン情報をサーバ装置１０から取り込む。ここで取り込まれるカメラアイコン情報にはステップＳ１２においてユーザがＰＣ１２から登録した施工確認場所や撮影箇所に関するコメントの内容が含まれる。
【００５９】
ステップＳ１５に進み、タブレット端末１４はステップＳ１４で取り込んだカメラアイコン情報に基づき、施工現場の図面上にカメラアイコンを表示する。カメラアイコンが表示される施工現場の図面上の位置は、ステップＳ１２においてユーザがＰＣ１２から登録した施工確認場所となる。
【００６０】
ステップＳ１６に進み、ユーザはタブレット端末１４の画面に表示されたカメラアイコンを選択する。ステップＳ１７に進み、タブレット端末１４は選択されたカメラアイコンの「カメラアイコン情報を確認する画面」を表示する。なお、「カメラアイコン情報を確認する画面」には、施工確認場所や撮影箇所に関するコメントの内容が後述するように表示される。ユーザはタブレット端末１４に表示された「カメラアイコン情報を確認する画面」上の撮影ボタンで撮影指示を行うことができる。
【００６１】
ステップＳ１８においてユーザから撮影指示があるか、ステップＳ２１においてユーザから「閉じる」ボタンが押下されるまで、タブレット端末１４は「カメラアイコン情報を確認する画面」を表示した状態を維持する。ユーザから撮影指示があったと判定すると、タブレット端末１４はステップＳ１９に進み、撮影を行う。ステップＳ２０に進み、タブレット端末１４は施工現場における撮影の進捗管理を支援するため、未撮影、撮影完了、撮影が行われてから撮影完了となるまでの状態で、カメラアイコンの色を変化させる。また、タブレット端末１４はステップＳ１９の撮影に基づき、カメラアイコン情報の更新要求をサーバ装置１０に対して行ったあと、ステップＳ１８に戻る。カメラアイコン更新処理は、図１８〜図２０を用いて後述する。
【００６２】
一方、ステップＳ１８において、ユーザから撮影指示がないと判定すると、タブレット端末１４はステップＳ２１に進む。ステップＳ２１において、ユーザにより「閉じる」ボタンが押下されたと判定すると、タブレット端末１４はステップＳ１７で表示した「カメラアイコン情報を確認する画面」を非表示にしたあと、ステップＳ１６に戻る。
【００６３】
図６の処理によれば、ユーザはＰＣ１２から施工現場の図面と、その図面上の位置で表した施工現場における施工確認場所の情報と、を事前に登録しておき、タブレット端末１４に取り込むことができる。また、タブレット端末１４は、未撮影の状態、撮影完了の状態及び撮影が行われてから撮影完了となるまでの状態を、カメラアイコンの色で区別して表すことができる。したがって、ユーザは図面上に表示されたカメラアイコンの色により撮影が完了した施工確認場所を一目で認識でき、撮影漏れや重複撮影を防ぐことができる。このように、本実施形態に係る施工管理システム１はユーザが施工現場において行う撮影の進捗管理を支援する。
【００６４】
《Ｓ１２：カメラアイコン事前登録》
図６のステップＳ１２に示したカメラアイコン事前登録処理は、例えば図７に示す手順で行われる。図７はカメラアイコン事前登録処理の一例のシーケンス図である。ユーザはカメラアイコンを登録する画面を表示させるための操作をＰＣ１２に対して行い、例えば図８に示す画面１０００を表示させる。図８は、カメラアイコンを登録する画面の一例のイメージ図である。図８の画面１０００には施工場所の図面が表示されている。
【００６５】
ステップＳ２１に進み、ユーザは画面１０００においてカメラのマークのアイコン１００２をクリックすることで施工確認場所のプロットモードを指定する。プロットモードにおいて、図面上における施工状態を報告すべき箇所、すなわち区画貫通処理が適切に行われたか否かを検査するために、区画貫通処理が行われた位置をクリックする。この区画貫通処理は、空調設備の場合は、冷媒配管等の配管が貫通する貫通孔が設けられた壁に対して行われる。その貫通孔の位置でクリックすることにより、カメラアイコンが施工現場における施工確認場所である貫通孔がある壁の位置に登録される。ステップＳ２１ではクリックにより登録されたカメラアイコン１００１ａ〜１００１ｃ毎に、図５に示した各種テーブルの情報が作成される。このようにして、カメラアイコン１００１ａ〜１００１ｃを登録するための操作を行う。以下では、カメラアイコン１００１ａ〜１００１ｃをカメラアイコン１００１と総称する場合がある。
【００６６】
ステップＳ２２に進み、ＰＣ１２はユーザにより登録された画面１０００の図面上の位置にカメラアイコン１００１を表示する。ユーザが図面上で区画貫通処理が行われた位置をクリックする都度、ＰＣ１２はカメラアイコン１００１を生成し、初期値として赤色のカメラアイコン１００１を表すオブジェクトテーブル６３の情報を生成する。そして、ＰＣ１２は、その赤色のカメラアイコン１００１の情報に基づき、赤色のカメラアイコン１００１を画面上に表示する。なお、ＰＣ１２やタブレット端末１４やサーバ装置１０はカメラアイコン１００１に対するナンバリング機能を有していてもよい。カメラアイコン１００１は登録された順番にナンバリングされる。ナンバリング機能には、カメラアイコン１００１の追加や削除により自動的に連番を振り直す自動振替機能が含まれていてもよい。
【００６７】
ステップＳ２３に進み、ＰＣ１２はユーザにより登録された赤色のカメラアイコン１００１のカメラアイコン情報登録要求をサーバ装置１０に対して行う。サーバ装置１０はステップＳ２４において、ＰＣ１２からのカメラアイコン情報登録要求に応じて、ＰＣ１２で生成された赤色のカメラアイコン１００１の情報（カメラアイコン情報）を表す図５に示した各種テーブルをテーブル保存部３６に保存する。オブジェクトテーブル６３には色領域に初期値の赤色が設定されたカメラアイコン１００１の情報が追加される。
【００６８】
このステップＳ２１〜Ｓ２４を、施工状態を報告すべき全ての箇所について繰り返し実行することにより、すなわち、全ての箇所でクリックすることにより、クリックされた全ての箇所にカメラアイコンが登録される。
【００６９】
また、ユーザはカメラアイコン情報を編集する画面を表示させるための操作をＰＣ１２に対して行い、例えば図９又は図１０に示す画面１０１０を表示させる。図９はカメラアイコン情報を編集する画面の一例のイメージ図である。図１０はカメラアイコン情報を編集する画面の他の例のイメージ図である。カメラアイコン情報を編集する画面１０１０を表示させるための操作は例えばカメラアイコン情報を編集するカメラアイコン１００１をクリックする操作である。
【００７０】
図９又は図１０の画面１０１０には、そのカメラアイコン１００１により示される施工確認場所で撮影する写真の撮影箇所が一箇所（片面だけ）、または二箇所（両面）のいずれかを指定する片面ボタン１０１１及び両面ボタン１０１２が設けられている。図９及び図１０は区画貫通処理検査に対応させたものであり、そのカメラアイコン１００１により示される施工確認場所で片面（一箇所）を撮影するのか両面（二箇所）を撮影するのかを指定できる。すなわち、区画貫通処理が行われた壁の一方側（片面）のみの撮影で良いのか、壁の両側（両面）の撮影が必要であるのかを指定できる。図９は、片面が指定された状態の画面例で、カメラアイコン１１０１ｂの登録例である。図１０は、両面が指定された状態の画面例で、カメラアイコン１１０１ｃの登録例である。
【００７１】
ステップＳ２５に進み、ユーザはカメラアイコン情報を編集する画面１０１０においてカメラアイコン情報を編集する操作を行う。例えばユーザは施工確認場所で撮影する写真の撮影箇所が一箇所（片面だけ）、または二箇所（両面）のいずれかを指定する操作や施工確認場所や撮影箇所に関するコメントをコメント欄１０１３に登録する操作を、画面１０１０において行う。ＰＣ１２は片面ボタン１０１１または両面ボタン１０１２を押下されると撮影箇所（片面／両面）の領域にその情報を格納する。
【００７２】
ステップＳ２６に進み、ＰＣ１２はユーザにより編集されたカメラアイコン情報を画面１０１０に反映させる。ステップＳ２７に進み、ＰＣ１２はユーザにより編集されたカメラアイコン情報のカメラアイコン情報編集要求をサーバ装置１０に対して行う。ステップＳ２８に進み、サーバ装置１０はテーブル保存部３６に保存されているカメラアイコン情報を、ＰＣ１２からのカメラアイコン情報編集要求に応じて編集し、テーブル保存部３６に保存する。このステップＳ２５〜Ｓ２８の編集作業を図面上に配置された全てのカメラアイコン１１０１毎に行うことにより、施工状態の検査または報告が必要な全ての箇所について、事前に、施工確認場所における撮影箇所（片面のみ、両面）、及び電子黒板に表示されるべきコメント欄１０１３のコメントを含む、撮影時に写し込みが必要な全ての情報を登録することができる。
【００７３】
《Ｓ１４：カメラアイコン情報の取り込み》
図６のステップＳ１４に示したカメラアイコン情報の取り込み処理は、例えば図１１に示す手順で行われる。図１１はタブレット端末にカメラアイコン情報を取り組む処理の一例のシーケンス図である。
【００７４】
タブレット端末１４にはステップＳ１３でサーバ装置１０から取り込んだ施工現場の図面ファイルが表示されている。ユーザはタブレット端末１４を操作し、サーバ装置１０からカメラアイコン情報を取り込むための画面を表示させる。図１２はカメラアイコン情報を取り組む画面の一例のイメージ図である。
【００７５】
図１２のカメラアイコン情報を取り組む画面１１１０は、施工場所の図面が表示された画面１１００上に表示されている。画面１１１０には、画面１１００上に表示されている図面とテーブル保存部３６で対応付けられているメモ１１１１が表示されている。メモ１１１１の情報はステップＳ１３でサーバ装置１０から取り込まれる。
【００７６】
ステップＳ３１に進み、ユーザは画面１１１０に表示されているメモ１１１１を例えばタップすることで、そのメモと対応付けられているカメラアイコン情報の取り込み操作をタブレット端末１４に対して行う。ステップＳ３２に進み、タブレット端末１４はユーザにより指定されたメモと対応付けられているカメラアイコン情報をサーバ装置１０に要求する。そして、ステップＳ３３において、タブレット端末１４はユーザにより指定されたメモと対応付けられているカメラアイコン情報をサーバ装置１０から取得する。
【００７７】
タブレット端末１４はステップＳ１４で取り込んだカメラアイコン情報に基づき、図１３のような画面１１００を表示する。図１３は、カメラアイコンを表示する画面の一例のイメージ図である。図１３の画面１１００には、ステップＳ３３でサーバ装置１０から取得したカメラアイコン情報に基づき、赤色のカメラアイコン１１０１ａ〜１１０１ｃが施工現場の図面上に表示されている。以下では、カメラアイコン１１０１ａ〜１１０１ｃをカメラアイコン１１０１と総称する場合がある。赤色のカメラアイコン１１０１ａ〜１１０１ｃは未撮影の状態を表している。
【００７８】
ユーザは画面１１００に表示されたカメラアイコン１１０１ａ〜１１０１ｃの何れかをタップすることで、図１４又は図１５のカメラアイコン情報を確認する画面１１２０をタブレット端末１４に表示させる。図１４は、カメラアイコン情報を確認する画面の一例のイメージ図である。図１５は、カメラアイコン情報を確認する画面の他の例のイメージ図である。図１４はカメラアイコン１１０１ｂがユーザにより選択された例である。図１５はカメラアイコン１１０１ｃがユーザにより選択された例である。
【００７９】
図１４の画面１１２０には、そのカメラアイコン１１０１ｂにより示される施工確認場所で撮影する写真の撮影箇所が一箇所（片面だけ）、または二箇所（両面）のいずれかを指定する片面ボタン１１２１及び両面ボタン１１２２が設けられている。図１４は片面が指定された状態の画面例である。図１４の画面１１２０ではステップＳ１２のカメラアイコン事前登録で片面ボタン１０１１により片面が指定された例を表している。図１４の画面１１２０の片面ボタン１１２１がハイライト表示され両面ボタン１１２２がハイライト表示されていないことを確認することでユーザはカメラアイコン１１０１ｂにより示される施工確認場所で撮影する写真の撮影箇所が一カ所であることを認識できる。
【００８０】
また、図１４の画面１１２０にはコメント欄１１２６が設けられている。コメント欄１１２６にはステップＳ１２のカメラアイコン事前登録処理でコメント欄１０１３に登録された施工確認場所や撮影箇所に関するコメントが表示されている。ユーザはコメント欄１１２６に表示された施工確認場所や撮影箇所に関するコメントを確認した上で、カメラアイコン１１０１ｂの位置で複数枚の写真を撮影する。たとえば、施工箇所の全体状況を示す写真、区画貫通処理部の拡大写真、電子黒板を重ねた写真などを撮影する。
【００８１】
図１５の画面１１２０にも、そのカメラアイコン１１０１ｃにより示される施工確認場所で撮影する写真の撮影箇所が一箇所（片面だけ）、または二箇所（両面）のいずれかを指定する片面ボタン１１２１及び両面ボタン１１２２が設けられている。図１５は両面が指定された状態の画面例である。図１５の画面１１２０ではステップＳ１２のカメラアイコン事前登録で両面ボタン１０１２により両面が指定された例を表している。図１５の画面１１２０の片面ボタン１１２１がハイライト表示されておらず、両面ボタン１１２２がハイライト表示されていることを確認することでユーザはカメラアイコン１１０１ｃにより示される施工確認場所で撮影する写真の撮影箇所が２カ所であることを認識できる。すなわち、ユーザは区画貫通処理が行われた壁の表側と裏側の両方で撮影する必要があることを認識できる。
【００８２】
ユーザは図１４又は図１５の画面１１２０の撮影ボタン１１２３をタップすることによりタブレット端末１４へ撮影指示を行う。ユーザから撮影指示があると、タブレット端末１４は図２１のカメラ画面１２００を表示する。カメラ画面１２００は、シャッターボタン１２０１と電子黒板ボタン１２０３が設けられている。シャッターボタン１２０１が押下されると、カメラ画面１２００の撮影画面に表示されている画像が写真として撮影される。電子黒板ボタン１２０３が押下されると、撮影画面に電子黒板１２０２が表示される。この電子黒板１２０２には、工事件名、撮影年月日時、施工会社、立合者、及びコメント欄が表示される。この状態でシャッターボタン１２０１が押下されると、電子黒板１２０２の情報が写し込まれた写真が撮影されて保存される。撮影画面に電子黒板１２０２が表示された状態で電子黒板ボタン１２０３が押下されると、電子黒板１２０２は、撮影画面から消去される。この状態でシャッターボタン１２０１が押下されると、電子黒板１２０２が表示されていない写真が撮影される。
【００８３】
片面ボタン１１２１がハイライト表示されている図１４の画面１１２０においてユーザが、図面ファイルを再確認し区画貫通処理の施工状態に関し片面のみではなく両面の撮影が必要であると判断した場合、両面ボタン１１２２を押下し、区画貫通処理が行われた壁の表側と裏側の両方で撮影を行う。タブレット端末１４は両面ボタン１１２２が押下されると、片面ボタン１１２１を非ハイライト表示に変更し、両面ボタン１１２２をハイライト表示に変更する。一方、両面ボタン１１２２がハイライト表示されている図１５の画面１１２０においてユーザが、図面ファイルを再確認し区画貫通処理の施工状態に関し両面ではなく片面の撮影で良いと判断した場合、片面ボタン１１２１を押下し、区画貫通処理が行われた壁の一方側（例えば壁の左側）のみで撮影を行う。タブレット端末１４は片面ボタン１１２１が押下されると、片面ボタン１１２１をハイライト表示に変更し、両面ボタン１１２２を非ハイライト表示に変更する。この片面ボタン１１２１と両面ボタン１１２２のハイライト表示の切替えを可能とすることにより、ユーザは現場で撮影箇所の変更が必要となった場合でもその状況に応じた撮影結果を残すことができる。ユーザは、片面から両面に、若しくは両面から片面に変更した理由を、タブレット端末１４の画面１１２０のコメント欄１１２６に記入する。タブレット端末１４は、テーブル保存部３６のオブジェクトテーブル６３の撮影箇所（片面／両面）の情報を、ユーザ操作に応じて変更する。すなわち、タブレット端末１４は、片面ボタン１１２１が押下された場合は、撮影箇所（片面／両面）の情報を片面に変更し、両面ボタン１１２２が押下された場合は、撮影箇所（片面／両面）の情報を両面に変更する。タブレット端末１４に格納された撮影箇所（片面／両面）の情報及びコメント欄の内容は、後述するカメラアイコンの更新処理の中でサーバ装置１０側に送信され、保存される。
【００８４】
《Ｓ１８及びＳ２０：カメラアイコン更新処理》
撮影後、図１５の画面１１２０は例えば図１６に示すようになる。図１６は撮影後の画面の一例のイメージ図である。図１６の画面１１２０のコメント欄１１２７は図１５のコメント欄１１２６に表示されたコメントに加え、撮影時間などの情報が追加されたコメントが表示されている。また、図１６の画面１１２０は撮影された写真１１２４が表示されている。写真１１２４には、コメント欄１１２７に表示されたコメントの内容が記入された電子黒板１１２８が合成されている。また、図１６の画面１１００では、タブレット端末１４はカメラアイコン１１０１ｃを未撮影の状態を表す赤色から、撮影が行われてから撮影完了となるまでの状態を表す緑色に変化させる。更に、タブレット端末１４は、図１６の画面１１００に示すように、カメラアイコン１１０１ｃの施工確認場所における全ての撮影が完了するまで（ユーザに完了ボタン１１２５が押下されるまで）完了ボタン１１２５の表示を未完了とする。
【００８５】
図１７は撮影後の画面の他の例のイメージ図である。タブレット端末１４は図１７の画面１１２０に示すように、ユーザに未完了表示の完了ボタン１１２５を押下されることで完了ボタン１１２５の表示を完了に変更する。画面１１２０の未完了表示の状態であった完了ボタン１１２５がユーザによりタップされると、タブレット端末１４は図１７の画面１１００に示すようにカメラアイコン１１０１ｃの色を緑色から、撮影完了の状態を表す青色に変化するとともに、完了ボタン１１２５の表示を完了表示に変化する。撮影した写真は、その写真情報が画面１１２０下部の表示欄１１２９に、撮影した写真の日時順に並べて、表示される。
【００８６】
このように、タブレット端末１４は、未撮影のカメラアイコン１１０１を赤色、撮影完了のカメラアイコン１１０１を青色、撮影が行われてから撮影完了となるまでのカメラアイコン１１０１を緑色で区別して表すことで、撮影の進捗をユーザに一目で把握させることができる。
【００８７】
図６のステップＳ２０に示したカメラアイコン更新処理は、例えば図１８に示すような手順で行われる。図１８は、カメラアイコン更新処理の一例のシーケンス図である。
【００８８】
ステップＳ４１において、タブレット端末１４は図１９に示すカメラアイコン１１０１の色変更処理によりカメラアイコン１１０１を変色させる。なお、カメラアイコン１１０１の色変更処理については後述する。
【００８９】
ステップＳ４２に進み、タブレット端末１４はカメラアイコン情報の更新要求をサーバ装置１０に対して行う。タブレット端末１４はステップＳ１０の撮影後のカメラアイコン更新処理において、サーバ装置１０にカメラアイコン情報の更新を行わせる。サーバ装置１０はタブレット端末１４からのカメラアイコン情報の更新要求に応じて、テーブル保存部３６に保存されているカメラアイコン１１０１ｃの情報を更新する。
【００９０】
ステップＳ４４に進み、タブレット端末１４は撮影した写真ファイルをサーバ装置１０に送信する。ステップＳ４５に進み、サーバ装置１０はタブレット端末１４から受信した写真ファイルを保存する。
【００９１】
図１９はカメラアイコンの色変更処理の一例のフローチャートである。なお、図１９に示すカメラアイコン１１０１の色変更処理は図６のステップＳ２０のタイミングで行われる他、例えば図１７の完了ボタン１１２５が押下されたタイミングでも行われる。
【００９２】
タブレット端末１４はステップＳ５１に進み、施工確認場所に対応するカメラアイコン１１０１の色が赤色であるか判定する。施工確認場所に対応するカメラアイコン１１０１の色が赤色であれば、タブレット端末１４はステップＳ５２に進み、施工確認場所に対応するカメラアイコン１１０１の色を赤色から緑色に変色させる。施工確認場所に対応するカメラアイコン１１０１の色が赤色でなければ、タブレット端末１４は施工確認場所に対応するカメラアイコン１１０１の色が既に緑色と判断し、ステップＳ５２の処理をスキップする。
【００９３】
タブレット端末１４はステップＳ５３に進み、施工確認場所に対応するカメラアイコン１１０１の完了ボタン１１２５が押下されたか判定する。完了ボタン１１２５が押下されていなければ、タブレット端末１４はカメラアイコン１１０１の色を変色させない。
【００９４】
一方、施工確認場所に対応するカメラアイコン１１０１の完了ボタン１１２５が押下されていれば、タブレット端末１４はカメラアイコン１１０１の色を緑色から青色に変色させる。
【００９５】
図１９のカメラアイコンの色変更処理によれば、写真撮影の進捗を施工現場の図面上で見える化できる。
【００９６】
タブレット端末１４は、完了ボタン１１２５が押下されたら、カメラアイコン１１０１の色を青色に変更するが、図６に示されるステップＳ１６〜ステップＳ２２の機能をディセーブルにせず、イネーブルの状態のままとしている。つまり、カメラアイコン１１０１ｃの施工確認場所における写真撮影（両面）が完了し、完了ボタン１１２５が押され、完了ステータスが完了に変更され、完了ボタン１１２５の表示が完了に変更された後に、再度カメラアイコン１１０１ｃが押下されたら、図６に示されるステップＳ１６からの操作が行える。カメラアイコン１１０１ｃの施工確認場所で追加で写真撮影して登録したい場合、カメラアイコン１１０１ｃをタップしてステップＳ１６に進み、ステップＳ１６〜ステップＳ２２を実行する。ステップＳ１７では、画面１１２０のコメント欄１１２７に追加で写真撮影する理由が記入され、テーブル保存部３６に保存される。ステップＳ１９で写真が撮影されると、画面１１２０の写真数が加算され、写真情報が画面１１２０の下部の写真情報の表示欄１１２９に追加される。ステップＳ２０のカメラアイコン更新処理でカメラアイコン１１０１ｃの色変更処理が実行されるが、カメラアイコン１１０１ｃの色は青色の状態が維持される。
【００９７】
図１８のカメラアイコン更新処理は例えば図２０に示すように行ってもよい。図２０はカメラアイコン更新処理の他の例のシーケンス図である。図２０のシーケンス図は施工現場での写真撮影を複数のタブレット端末１４で行う例を示している。ステップＳ６１において、タブレット端末１４は図１９に示したカメラアイコン１１０１の色変更処理によりカメラアイコン１１０１を変色させる。
【００９８】
ステップＳ６２に進み、タブレット端末１４はカメラアイコン情報の更新要求をサーバ装置１０に対して行う。サーバ装置１０はタブレット端末１４からのカメラアイコン情報の更新要求に応じて、テーブル保存部３６に保存されているカメラアイコン１１０１ｃの情報を更新する。ステップＳ６４に進み、サーバ装置１０は更新したカメラアイコン１１０１ｃの情報を他のタブレット端末１４に配信する。なお、図２０のシーケンス図では写真ファイルをサーバ装置１０へ送信するタイミングを示していないが、ステップＳ６２のカメラアイコン情報とは異なるタイミングで行う。
【００９９】
このように、更新したカメラアイコン１１０１ｃの情報がサーバ装置１０から複数のタブレット端末１４に配信されることで、施工現場での写真撮影を複数人のユーザが協力して行うことができる。また、図２０のシーケンス図では写真ファイルのサーバ装置１０への送信よりも、ステップＳ６２のカメラアイコン情報の更新要求及びステップＳ６４のカメラ配信情報の配信を優先して行うことで、迅速にカメラアイコン１１０１ｃの変色を行うことができる。複数のタブレット端末１４のカメラアイコン１１０１の色が直ちに変更となるので、複数人のユーザが現場で撮影を行う場合であっても、施工確認場所に行く前に撮影完了状態を把握でき、移動時間を無駄にすることがない。施工確認場所や報告に必要な情報は、現場管理事務所等において事前に登録されている。このため、施工現場における施工状態の確認のための写真撮影作業自体は、施工作業を行う作業員が退出した後の定時時間外に行うことになるが、その撮影作業を短時間で終わらせることが可能となる。
【０１００】
本発明は、具体的に開示された上記の実施形態に限定されるものではなく、特許請求の範囲から逸脱することなく、種々の変形や変更が可能である。タブレット端末１４は特許請求の範囲に記載した携帯端末の一例である。ＰＣ１２は端末装置の一例である。カメラアイコン登録受付部４４は登録受付手段の一例である。カメラアイコン情報編集受付部４５は編集受付手段の一例である。
【０１０１】
また、カメラアイコン情報提供部３４は提供手段の一例である。テーブル保存部３６は保存手段の一例である。表示処理部５２は表示処理手段の一例である。カメラアイコン更新処理部５５は更新処理手段の一例である。カメラアイコン１１０１はアイコンの一例である。片面ボタン１０１１及び両面ボタン１０１２は撮影完了指示をユーザから受け付ける手段の一例である。撮影ボタン１１２３は撮影指示を受け付ける手段の一例である。
【符号の説明】
【０１０２】
１    施工管理システム
１０    サーバ装置
１２    ＰＣ（パーソナルコンピュータ）
１４    タブレット端末
１６    ネットワーク
３１    図面ファイル登録部
３２    カメラアイコン登録部
３３    カメラアイコン情報編集部
３４    カメラアイコン情報提供部
３５    カメラアイコン情報更新部
３６    テーブル保存部
３７    図面ファイル保存部
３８    写真ファイル保存部
４１    操作判断部
４２    表示処理部
４３    図面ファイル登録受付部
４４    カメラアイコン登録受付部
４５    カメラアイコン情報編集受付部
５１    操作判断部
５２    表示処理部
５３    カメラアイコン情報取得部
５４    撮影制御部
５５    カメラアイコン更新処理部
５６    図面ファイル取得部
５７    写真ファイル送信部
６１    図面テーブル
６２    メモテーブル
６３    オブジェクトテーブル
６４    写真情報テーブル
５００    コンピュータ
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
６０１    ＣＰＵ
６０２    ＲＯＭ
６０３    ＲＡＭ
６０４    ＥＥＰＲＯＭ
６０５    ＣＭＯＳセンサ
６０６    加速度・方位センサ
６０７    記録メディア
６０８    メディアドライブ
６０９    音声入力部
６１０    音声出力部
６１１    アンテナ
６１２    通信部
６１３    無線ＬＡＮ通信部
６１４    近距離無線通信用アンテナ
６１５    近距離無線通信部
６１６    ディスプレイ
６１７    タッチパネル
６１８    電池
６１９    バスライン
１００１ａ〜１００１ｃ、１１０１ａ〜１１０１ｃ    カメラアイコン
１０１１、１１２１    片面ボタン
１０１２、１１２２    両面ボタン
１１２５    完了ボタン
１１２６、１１２７    コメント欄
１１２８    電子黒板
１１２９    表示欄
Ｂ    バス
【図１】
2018045356.tif 000003
【図２】
2018045356.tif 000004
【図３】
2018045356.tif 000005
【図４】
2018045356.tif 000006
【図５】
2018045356.tif 000007
【図６】
2018045356.tif 000008
【図７】
2018045356.tif 000009
【図８】
2018045356.tif 000010
【図９】
2018045356.tif 000011
【図１０】
2018045356.tif 000012
【図１１】
2018045356.tif 000013
【図１２】
2018045356.tif 000014
【図１３】
2018045356.tif 000015
【図１４】
2018045356.tif 000016
【図１５】
2018045356.tif 000017
【図１６】
2018045356.tif 000018
【図１７】
2018045356.tif 000019
【図１８】
2018045356.tif 000020
【図１９】
2018045356.tif 000021
【図２０】
2018045356.tif 000022
【図２１】
2018045356.tif 000023